(57)【要約】【課題】スイッチング素子のオンタイミングのずれが発生した場合であっても安定したオフタイミングの設定を行うことができる車両用回転電機を提供すること。【解決手段】車両用発電機１は、電機子巻線２、３と、２つの整流器モジュール群５、６と、上ＭＯＳオンタイミング判定部１０３、下ＭＯＳオンタイミング判定部１０４と、回転数演算部１０１と、目標電気角設定部１０５と、上ＭＯＳオフタイミング演算部１０７、下ＭＯＳオフタイミング演算部１０９と、ＭＯＳトランジスタ５０、５１を駆動するドライバ１７０、１７２とを備える。上ＭＯＳオフタイミング演算部１０７、下ＭＯＳオフタイミング演算部１０９は、相電圧が第２のしきい値に達した時点を基準にしてオフタイミングを設定する。【選択図】図６
2014096887.tif 000002
【特許請求の範囲】
【請求項１】
２相以上の相巻線を有する電機子巻線（２、３）と、
ダイオードが並列接続されたスイッチング素子（５０、５１）によって構成される複数の上アームおよび下アームを有するブリッジ回路を構成し、前記電機子巻線の誘起電圧を整流するスイッチング部（５、６）と、
前記スイッチング素子のオンタイミングを設定するオンタイミング設定部（１０３、１０４）と、
前記相巻線の相電圧が第１のしきい値に達した後第２のしきい値に達するまでを通電期間とし、前記スイッチング素子をオフしてから前記通電期間の終了時点までの期間をオフ後電気角としたときに、このオフ後電気角の目標値として目標電気角の値を設定する目標電気角設定部（１０５）と、
前記相巻線の相電圧が前記第２のしきい値に達した時点を基準にして、前記オフ後電気角が前記目標電気角となるように前記スイッチング素子のオフタイミングを設定するオフタイミング設定部（１０７、１０９）と、
前記オンタイミング設定部によって設定されたオンタイミングおよび前記オフタイミング設定部によって設定されたオフタイミングで前記スイッチング素子を駆動するスイッチング素子駆動部（１７０、１７２）と、
を備えることを特徴とする車両用回転電機。
【請求項２】
請求項１において、
前記オフタイミング設定部は、オフタイミングの設定対象とは反対側のアームの前記スイッチング素子に対応して、直前に前記相巻線の相電圧が前記第２のしきい値に達した時点から経過時間の計測を開始することを特徴とする車両用回転電機。
【請求項３】
請求項１において、
前記オフタイミング設定部は、オフタイミングの設定対象となる前記スイッチング素子に対応して、直前に前記相巻線の相電圧が前記第２のしきい値に達した時点から経過時間の計測を開始することを特徴とする車両用回転電機。
【請求項４】
請求項１〜３のいずれかにおいて、
前記第１のしきい値は、上アームについては前記第２のしきい値よりも大きく、下アームについては前記第２のしきい値よりも小さいことを特徴とする車両用回転電機。
【請求項５】
請求項１〜３のいずれかにおいて、
前記第１のしきい値は、上アームについては出力電圧と同じかそれよりも大きく、下アームについてはグランド電圧と同じかそれよりも小さいことを特徴とする車両用回転電機。
【請求項６】
請求項５において、
前記第１のしきい値は、上アームについては出力電圧に前記ダイオードの電圧降下を加算した値と同じかそれよりも小さい値であり、下アームについてはグランド電圧に前記ダイオードの電圧降下を減算した値と同じかそれよりも大きい値であることを特徴とする車両用回転電機。
【請求項７】
請求項１〜６のいずれかにおいて、
前記第２のしきい値は、上アームについては出力電圧よりも小さく、下アームについてはグランド電圧よりも大きいことを特徴とする車両用回転電機。
【請求項８】
請求項１〜７のいずれかにおいて、
前記オンタイミング設定部は、オフタイミングの設定対象となる前記スイッチング素子に対応して前記相巻線の相電圧が前記第３のしきい値に達した時点をこのスイッチング素子のオンタイミングとして設定し、
前記第３のしきい値は、上アームについては前記第１のしきい値以上であり、下アームについては前記第１のしきい値以下であることを特徴とする車両用回転電機。
【請求項９】
請求項８において、
前記第３のしきい値は、前記第１のしきい値と同じであることを特徴とする車両用回転電機。
【請求項１０】
請求項１〜９のいずれかにおいて、
前記オフタイミング設定部は、前記オフ後電気角と前記目標電気角との差分に基づいて、次回のオフタイミングを補正することを特徴とする車両用回転電機。
【請求項１１】
請求項１０において、
前記オフタイミング設定部は、前記オフ後電気角が前記目標電気角よりも小さい場合に、１倍から２倍の間となる補正係数を前記差分に乗じた値を用いて次回のオフタイミングを補正することを特徴とする車両用回転電機。
【発明の詳細な説明】
【技術分野】
【０００１】
本発明は、乗用車やトラック等に搭載される車両用回転電機に関する。
【背景技術】
【０００２】
従来から、ダイオード整流期間に合わせてＭＯＳトランジスタ（スイッチング素子）をオンするとともにダイオード整流期間を超えてＭＯＳトランジスタのオン状態を継続しないようにＭＯＳトランジスタをオフした後にダイオード整流期間を確保するようにした車両用回転電機が知られている（例えば、特許文献１参照。）。この車両用回転電機では、他のＭＯＳトランジスタについてこの他のＭＯＳトランジスタをオフした後のダイオード整流期間と目標電気角との差分を算出し、この差分に補正係数を掛けた値を加算するフィードバック制御を行うことにより、着目しているＭＯＳトランジスタのオフタイミングを決定している。
【先行技術文献】
【特許文献】
【０００３】
【特許文献１】特開２０１２−７０５５９号公報
【発明の概要】
【発明が解決しようとする課題】
【０００４】
ところで、特許文献１に開示された車両用回転電機では、ダイオード整流期間に合わせてＭＯＳトランジスタをオンしているため、車両用回転電機の特性によりダイオード通電開始の判定電圧付近で出力電圧が変動する場合に、通電開始の検出タイミングが前後にずれるおそれがある。ＭＯＳトランジスタのオン期間は、この検出タイミングのずれを考慮せずに決まるため、ＭＯＳトランジスタをオフするタイミングも前後にずれることになり、最悪の場合には、ダイオード整流期間が終了した後もＭＯＳトランジスタのオン状態を維持する場合があって望ましくない。
【０００５】
本発明は、このような点に鑑みて創作されたものであり、その目的は、スイッチング素子のオンタイミングのずれが発生した場合であっても安定したオフタイミングの設定を行うことができる車両用回転電機を提供することにある。
【課題を解決するための手段】
【０００６】
上述した課題を解決するために、本発明の車両用回転電機は、電機子巻線、スイッチング部、オンタイミング設定部、目標電気角設定部、オフタイミング設定部、スイッチング素子駆動部を備える。電機子巻線は、２相以上の相巻線を有する。スイッチング部は、ダイオードが並列接続されたスイッチング素子によって構成される複数の上アームおよび下アームを有するブリッジ回路を構成し、電機子巻線の誘起電圧を整流する。オンタイミング設定部は、スイッチング素子のオンタイミングを設定する。目標電気角設定部は、相巻線の相電圧が第１のしきい値に達した後第２のしきい値に達するまでを通電期間とし、スイッチング素子をオフしてから通電期間の終了時点までの期間をオフ後電気角としたときに、このオフ後電気角の目標値として目標電気角の値を設定する。オフタイミング設定部は、相巻線の相電圧が第２のしきい値に達した時点を基準にして、オフ後電気角が目標電気角となるようにスイッチング素子のオフタイミングを設定する。スイッチング素子駆動部は、オンタイミング設定部によって設定されたオンタイミングおよびオフタイミング設定部によって設定されたオフタイミングでスイッチング素子を駆動する。
【０００７】
スイッチング素子のオフタイミングの設定をオンタイミングと分離して行うことにより、例えば起電圧が低い場合や波形自体が歪んでいる場合（Δ−Ｙ結線の電機子巻線を用いた場合）などでオンタイミングのずれが発生した場合であっても安定したオフタイミングの設定を行うことができる。
【図面の簡単な説明】
【０００８】
【図１】一実施形態の車両用発電機の構成を示す図である。
【図２】整流器モジュールの構成を示す図である。
【図３】制御回路の詳細構成を示す図である。
【図４】上ＭＯＳ  ＶDS検出部による電圧比較の具体例を示す図である。
【図５】下ＭＯＳ  ＶDS検出部による電圧比較の具体例を示す図である。
【図６】制御部の詳細構成を示す図である。
【図７】制御部によって行う同期制御の動作タイミング図である。
【図８】車両が急加速する場合を想定した電気角の変動の様子を示す図である。
【図９】エンジン回転が変動する場合を想定した電気角の変動の様子を示す図である。
【図１０】電気負荷が急激に変動する場合を想定した電気角の変動の様子を示す図である。
【図１１】ドライバにおけるターンオフ遅れを想定した電気角の変動の様子を示す図である。
【図１２】各種の要因の組合せを想定した電気角の変動の様子を示す図である。
【図１３】整流器モジュールの変形例を示す図である。
【図１４】制御回路の変形例を示す図である。
【図１５】ＭＯＳトランジスタのオフタイミング設定の変形例に対応する動作タイミング図である。
【発明を実施するための形態】
【０００９】
以下、本発明の車両用回転電機を適用した一実施形態の車両用発電機について、図面を参照しながら説明する。図１に示すように、本実施形態の車両用発電機１は、２つの固定子巻線（電機子巻線）２、３、界磁巻線４、２つの整流器モジュール群５、６、発電制御装置７を含んで構成されている。２つの整流器モジュール群５、６がスイッチング部に対応する。
【００１０】
一方の固定子巻線２は、多相巻線（例えばＸ相巻線、Ｙ相巻線、Ｚ相巻線からなる三相巻線）であって、固定子鉄心（図示せず）に巻装されている。同様に、他方の固定子巻線３は、多相巻線（例えばＵ相巻線、Ｖ相巻線、Ｗ相巻線からなる三相巻線）であって、上述した固定子鉄心に、固定子巻線２に対して電気角で３０度ずらした位置に巻装されている。本実施形態では、これら２つの固定子巻線２、３と固定子鉄心によって固定子が構成されている。
【００１１】
界磁巻線４は、固定子鉄心の内周側に対向配置された界磁極（図示せず）に巻装されて回転子を構成している。励磁電流を流すことにより、界磁極が磁化される。界磁極が磁化されたときに発生する回転磁界によって固定子巻線２、３が交流電圧を発生する。
【００１２】
一方の整流器モジュール群５は、一方の固定子巻線２に接続されており、全体で三相全波整流回路（ブリッジ回路）が構成され、固定子巻線２に誘起される交流電流を直流電流に変換する。この整流器モジュール群５は、固定子巻線２の相数に対応する数（三相巻線の場合には３個）の整流器モジュール５Ｘ、５Ｙ、５Ｚを備えている。整流器モジュール５Ｘは、固定子巻線２に含まれるＸ相巻線に接続されている。整流器モジュール５Ｙは、固定子巻線２に含まれるＹ相巻線に接続されている。整流器モジュール５Ｚは、固定子巻線２に含まれるＺ相巻線に接続されている。
【００１３】
他方の整流器モジュール群６は、他方の固定子巻線３に接続されており、全体で三相全波整流回路（ブリッジ回路）が構成され、固定子巻線３に誘起される交流電流を直流電流に変換する。この整流器モジュール群６は、固定子巻線３の相数に対応する数（三相巻線の場合には３個）の整流器モジュール６Ｕ、６Ｖ、６Ｗを備えている。整流器モジュール６Ｕは、固定子巻線３に含まれるＵ相巻線に接続されている。整流器モジュール６Ｖは、固定子巻線３に含まれるＶ相巻線に接続されている。整流器モジュール６Ｗは、固定子巻線３に含まれるＷ相巻線に接続されている。
【００１４】
発電制御装置７は、Ｆ端子を介して接続された界磁巻線４に流す励磁電流を制御する励磁制御回路であって、励磁電流を調整することにより車両用発電機１の出力電圧（各整流器モジュールの出力電圧）ＶB が調整電圧Ｖreg になるように制御する。例えば、発電制御装置７は、出力電圧ＶB が調整電圧Ｖreg よりも高くなったときに界磁巻線４への励磁電流の供給を停止し、出力電圧ＶB が調整電圧Ｖreg よりも低くなったときに界磁巻線４に励磁電流の供給を行うことにより、出力電圧ＶB が調整電圧Ｖreg になるように制御する。また、発電制御装置７は、通信端子Ｌおよび通信線を介してＥＣＵ８（外部制御装置）と接続されており、ＥＣＵ８との間で双方向のシリアル通信（例えば、ＬＩＮ（Local Interconnect Network）プロトコルを用いたＬＩＮ通信）を行い、通信メッセージを送信あるいは受信する。
【００１５】
本実施形態の車両用発電機１はこのような構成を有しており、次に、整流器モジュール５Ｘ等の詳細について説明する。各整流器モジュール５Ｘは、他の整流器モジュール５Ｙ、５Ｚ、６Ｕ、６Ｖ、６Ｗと同じ構成を有している。
【００１６】
図２に示すように、整流器モジュール５Ｘは、２つのＭＯＳトランジスタ５０、５１、制御回路５４を備えている。ＭＯＳトランジスタ５０は、ソースが固定子巻線２のＸ相巻線に接続され、ドレインが充電線１２を介して電気負荷１０やバッテリ９の正極端子に接続された上アーム（ハイサイド側）のスイッチング素子である。ＭＯＳトランジスタ５１は、ドレインがＸ相巻線に接続され、ソースがバッテリ９の負極端子（アース）に接続された下アーム（ローサイド側）のスイッチング素子である。これら２つのＭＯＳトランジスタ５０、５１からなる直列回路がバッテリ９の正極端子と負極端子の間に配置され、これら２つのＭＯＳトランジスタ５０、５１の接続点（Ｐ端子）にＸ相巻線が接続されている。また、ＭＯＳトランジスタ５０、５１のそれぞれのソース・ドレイン間にはダイオードが並列接続されている。このダイオードはＭＯＳトランジスタ５０、５１の寄生ダイオード（ボディダイオード）によって実現されるが、別部品としてのダイオードをさらに並列接続するようにしてもよい。なお、上アームおよび下アームの少なくとも一方を、ＭＯＳトランジスタ以外のスイッチング素子を用いて構成するようにしてもよい。
【００１７】
図３に示すように、制御回路５４は、制御部１００、電源１６０、出力電圧検出部１１０、上ＭＯＳ ＶDS検出部１２０、下ＭＯＳ ＶDS検出部１３０、温度検出部１５０、ドライバ１７０、１７２を備えている。
【００１８】
電源１６０は、発電制御装置７から界磁巻線４に励磁電流が供給されるタイミングで動作を開始し、制御回路５４に含まれる各素子に動作電圧を供給するとともに、励磁電流の供給が停止されたときに動作電圧の供給を停止する。この電源１６０の起動、停止は、制御部１００からの指示に応じて行われる。
【００１９】
ドライバ１７０は、出力端子（Ｇ１）がハイサイド側のＭＯＳトランジスタ５０のゲートに接続されており、ＭＯＳトランジスタ５０をオンオフする駆動信号を生成する。同様に、ドライバ１７２は、出力端子（Ｇ２）がローサイド側のＭＯＳトランジスタ５１のゲートに接続されており、ＭＯＳトランジスタ５１をオンオフする駆動信号を生成する。
【００２０】
出力電圧検出部１１０は、例えば差動増幅器とその出力をデジタルデータに変換するアナログ−デジタル変換器によって構成されており、車両用発電機１（あるいは整流器モジュール５Ｘ）の出力端子（Ｂ端子）の電圧に対応するデータを出力する。なお、アナログ−デジタル変換器は、制御部１００側に設けるようにしてもよい。
【００２１】
上ＭＯＳ  ＶDS検出部１２０は、ハイサイド側のＭＯＳトランジスタ５０のドレイン・ソース間電圧ＶDSを検出し、検出したドレイン・ソース間電圧ＶDSを所定のしきい値と比較してその大小に応じた信号を出力する。
【００２２】
図４において、横軸はドレイン側の出力電圧ＶB を基準としたドレイン・ソース間電圧ＶDSを示している。また、縦軸は上ＭＯＳ  ＶDS検出部１２０から出力される信号の電圧レベルを示している。図４に示すように、相電圧ＶP が高くなって出力電圧ＶB よりも０．３Ｖ以上高くなるとＶDSが０．３Ｖ以上になるため、上ＭＯＳ  ＶDS検出部１２０の出力信号がローレベル（０Ｖ）からハイレベル（５Ｖ）に変化する。その後、相電圧ＶP が出力電圧ＶB よりも１．０Ｖ以上低くなるとＶDSが−１．０Ｖ以下になるため、上ＭＯＳ  ＶDS検出部１２０の出力信号がハイレベルからローレベルに変化する。
【００２３】
上述した出力電圧ＶB よりも０．３Ｖ高い値Ｖ１０（図７）が、第１のしきい値に対応している。この第１のしきい値は、ダイオード通電期間の開始時点を確実に検出するためのものであり、出力電圧ＶB と同じかそれよりも大きく（高く）、望ましくは出力電圧ＶB にオン時のＭＯＳトランジスタ５０のドレイン・ソース間電圧ＶDSを加算した値よりも高く、出力電圧ＶB にＭＯＳトランジスタ５０と並列接続されたダイオードの順方向電圧ＶＦ（電圧降下）を加算した値と同じかそれよりも低い値に設定されている。また、上述した出力電圧ＶB よりも１．０Ｖ低い値Ｖ２０（図７）が第２のしきい値に対応している。この第２のしきい値は、ダイオード通電期間の終了時点を確実に検出するためのものであり、出力電圧ＶB よりも小さい（低い）値に設定されている。相電圧ＶP が第１のしきい値に達した後に第２のしきい値に達するまでを上アームの「オン期間」としている。このオン期間が特許請求の範囲における「通電期間」に対応する。なお、このオン期間は、ＭＯＳトランジスタ５０がオフ状態のときに実際にダイオードに通電される「ダイオード通電期間」とは開始時点と終了時点がずれているが、本実施形態の同期制御はこのオン期間に基づいて行われる。
【００２４】
下ＭＯＳ  ＶDS検出部１３０は、ローサイド側のＭＯＳトランジスタ５１のドレイン・ソース間電圧ＶDSを検出し、検出したドレイン・ソース間電圧ＶDSを所定のしきい値と比較してその大小に応じた信号を出力する。図５において、横軸はドレイン側のバッテリ負極端子電圧であるグランド端子電圧ＶGND を基準としたドレイン・ソース間電圧ＶDSを示している。また、縦軸は下ＭＯＳ  ＶDS検出部１３０から出力される信号の電圧レベルを示している。図５に示すように、相電圧ＶP が低くなってグランド電圧ＶGND よりも０．３Ｖ以上低くなるとＶDSが−０．３Ｖ以下になるため、下ＭＯＳ  ＶDS検出部１３０の出力信号がローレベル（０Ｖ）からハイレベル（５Ｖ）に変化する。その後、相電圧ＶP がグランド電圧ＶGND よりも１．０Ｖ以上高くなるとＶDSが１．０Ｖ以上になるため、下ＭＯＳ  ＶDS検出部１３０の出力信号がハイレベルからローレベルに変化する。
【００２５】
上述したグランド電圧ＶGND よりも０．３Ｖ低い値Ｖ１１（図７）が、第１のしきい値に対応している。この第１のしきい値は、ダイオード通電期間の開始時点を確実に検出するためのものであり、グランド電圧ＶGND と同じかそれよりも小さく（低く）、望ましくはグランド電圧ＶGND からオン時のＭＯＳトランジスタ５１のドレイン・ソース間電圧ＶDSを減算した値よりも低く、グランド電圧ＶGND からＭＯＳトランジスタ５１と並列接続されたダイオードの順方向電圧ＶＦ（電圧降下）を減算した値と同じかそれよりも高い値に設定されている。また、上述した出力電圧ＶB よりも１．０Ｖ高い値Ｖ２１（図７）が第２のしきい値に対応している。この第２のしきい値は、ダイオード通電期間の終了時点を確実に検出するためのものであり、グランド電圧ＶGND よりも大きい（高い）値に設定されている。相電圧ＶP が第１のしきい値に達した後に第２のしきい値に達するまでを下アームの「オン期間」としている。このオン期間が特許請求の範囲における「通電期間」に対応する。なお、このオン期間は、ＭＯＳトランジスタ５１がオフ状態のときに実際にダイオードに通電される「ダイオード通電期間」とは開始時点と終了時点がずれているが、本実施形態の同期整流はこのオン期間に基づいて行われる。
【００２６】
温度検出部１５０は、例えばＭＯＳトランジスタ５０、５１や制御部１００の近傍に配置されたダイオードとその順方向電圧をデジタルデータに変換するアナログ−デジタル変換器を含んで構成されている。例えば感温ダイオードの順方向電圧は温度依存性を有するため、この順方向電圧に基づいて、ＭＯＳトランジスタ５０、５１等の近傍の温度を検出することができる。なお、このアナログ−デジタル変換器あるいは温度検出部１５０全体を、制御部１００内に設けるようにしてもよい。
【００２７】
制御部１００は、同期整流動作を開始するタイミングの判定、同期整流を実施するためのＭＯＳトランジスタ５０、５１のオン／オフタイミングの設定、このオン／オフタイミングの設定に対応したドライバ１７０、１７２の駆動、ロードダンプ保護動作移行タイミングの判定および保護動作の実施などを行う。
【００２８】
図６に示すように、制御部１００は、回転数演算部１０１、同期制御開始判定部１０２、上ＭＯＳオンタイミング判定部１０３、下ＭＯＳオンタイミング判定部１０４、目標電気角設定部１０５、上ＭＯＳ・ＴFB時間演算部１０６、上ＭＯＳオフタイミング演算部１０７、下ＭＯＳ・ＴFB時間演算部１０８、下ＭＯＳオフタイミング演算部１０９、ロードダンプ判定部１１１、電源起動・停止判定部１１２を備えている。これらの各構成は、例えばメモリ等に記憶された所定の動作プログラムを、クロック発生回路によって生成したクロック信号に同期して読み込んでＣＰＵで実行することにより実現される。各構成の具体的な動作内容については後述する。
【００２９】
上述した上ＭＯＳオンタイミング判定部１０３、下ＭＯＳオンタイミング判定部１０４が「オンタイミング設定部」に、上ＭＯＳオフタイミング演算部１０７、下ＭＯＳオフタイミング演算部１０９が「オフタイミング設定部」に、ドライバ１７０、１７２が「スイッチング素子駆動部」にそれぞれ対応する。
【００３０】
本実施形態の整流器モジュール５Ｘ等はこのような構成を有しており、次にその動作を説明する。
【００３１】
（１）電源起動・停止判定
電源起動・停止判定部１１２は、Ｐ端子に接続されており、整流器モジュール５Ｘが接続された固定子巻線２のＸ相の相電圧（ピーク電圧）が所定値（例えば５Ｖ）を超えたことを検出したときに、電源１６０に起動を指示する。また、電源起動・停止判定部１１２は、この相電圧が所定値（５Ｖ）以下になった状態が所定時間（例えば１秒）継続したときに電源１６０に停止を指示する。このようにして車両用発電機１の発電時のみ整流器モジュール５Ｘ等を動作させており、発電せずに停止している場合に、必要最小限の回路しか動作させないため、暗電流を低減し、バッテリ上がりを防止することができる。
【００３２】
（２）同期制御動作
同期制御の動作タイミングを示す図７において、「上アーム・オン期間」は上ＭＯＳ  ＶDS検出部１２０の出力信号を、「上ＭＯＳオン期間」はハイサイド側のＭＯＳトランジスタ５０のオン／オフタイミングを、「下アーム・オン期間」は下ＭＯＳ  ＶDS検出部１３０の出力信号を、「下ＭＯＳオン期間」はローサイド側のＭＯＳトランジスタ５１のオン／オフタイミングをそれぞれ示している。また、ＴFB1 、ＴFB2 、目標電気角、ΔＴについては後述する。
【００３３】
上ＭＯＳオンタイミング判定部１０３は、上ＭＯＳ  ＶDS検出部１２０の出力信号（上アーム・オン期間）を監視しており、この出力信号のローレベルからハイレベルへの立ち上がりをハイサイド側のＭＯＳトランジスタ５０のオンタイミングとして判定し、ドライバ１７０に指示を送る。ドライバ１７０は、この指示に応じてＭＯＳトランジスタ５０をオンする。
【００３４】
上ＭＯＳオフタイミング演算部１０７は、下ＭＯＳ  ＶDS検出部１３０の出力信号（下アーム・オン期間）を監視しており、この出力信号が前回（直前に）ハイレベルからローレベルへ立ち下がったタイミングから所定時間経過後をＭＯＳトランジスタ５０のオフタイミングとして判定し、ドライバ１７０に指示を送る。ドライバ１７０は、この指示に応じてＭＯＳトランジスタ５０をオフする。
【００３５】
このオフタイミングを決定する所定時間は、次の上アーム・オン期間の終了時点（上ＭＯＳ  ＶDS検出部１２０の出力信号が次回ハイレベルからローレベルに立ち下がる時点）よりも「目標電気角」だけ早くなるように、その都度可変設定される。
【００３６】
この目標電気角は、ＭＯＳトランジスタ５０を常時オフしてダイオードを通して整流を行う場合を考えたときに、このダイオード整流における通電期間の終了時点よりもＭＯＳトランジスタ５０のオフタイミングが遅くならないようにするためのマージンであり、目標電気角設定部１０５によって設定される。目標電気角設定部１０５は、回転数演算部１０１によって演算された回転数に基づいて目標電気角を設定する。この目標電気角は、低回転領域および高回転領域において大きな値が、その中間領域において小さな値が設定される。回転数に応じた目標電気角の設定内容については後述する。
【００３７】
なお、回転数演算部１０１は、下ＭＯＳ  ＶDS検出部１３０の出力信号の立ち上がり周期あるいは立ち下がり周期に基づいて回転数を演算している。下ＭＯＳ  ＶDS検出部１３０の出力信号を用いることにより、車両用発電機１の出力電圧ＶB の変動に関係なく、安定した回転数検出が可能になる。
【００３８】
同様に、下ＭＯＳオンタイミング判定部１０４は、下ＭＯＳ  ＶDS検出部１３０の出力信号（下アーム・オン期間）を監視しており、この出力信号のローレベルからハイレベルへの立ち上がりをローサイド側のＭＯＳトランジスタ５１のオンタイミングとして判定し、ドライバ１７２に指示を送る。ドライバ１７２は、この指示に応じてＭＯＳトランジスタ５１をオンする。
【００３９】
下ＭＯＳオフタイミング演算部１０９は、上ＭＯＳ  ＶDS検出部１２０の出力信号（上アーム・オン期間）を監視しており、この出力信号が前回（直前に）ハイレベルからローレベルに立ち下がったタイミングから所定時間経過後をＭＯＳトランジスタ５１のオフタイミングとして判定し、ドライバ１７２に指示を送る。ドライバ１７２は、この指示に応じてＭＯＳトランジスタ５１をオフする。
【００４０】
このオフタイミングを決定する所定時間は、次の下アーム・オン期間の終了時点（下ＭＯＳ  ＶDS検出部１３０の出力信号が次回ハイレベルからローレベルに立ち下がる時点）よりも「目標電気角」だけ早くなるように、その都度可変設定される。
【００４１】
この目標電気角は、ＭＯＳトランジスタ５１を常時オフしてダイオードを通して整流を行う場合を考えたときに、このダイオード整流における通電期間の終了時点よりもＭＯＳトランジスタ５１のオフタイミングが遅くならないようにするためのマージンであり、目標電気角設定部１０５によって設定される。
【００４２】
ところで、実際には、上アーム・オン期間や下アーム・オン期間の終了時点は、ＭＯＳトランジスタ５０、５１をオフする時点ではわかっていないため、上ＭＯＳオフタイミング演算部１０７や下ＭＯＳオフタイミング演算部１０９は、半周期前の情報をフィードバックすることにより、ＭＯＳトランジスタ５０やＭＯＳトランジスタ５１のオフタイミングの設定精度を上げている。
【００４３】
具体的には、ハイサイド側のＭＯＳトランジスタ５０のオフタイミングは以下のようにして設定される。下ＭＯＳ・ＴFB時間演算部１０８は、半周期前にローサイド側のＭＯＳトランジスタ５１をオフしてから前回の下アーム・オン期間の終了時点までの時間（オフ後電気角）ＴFB2 （図７）を演算し、上ＭＯＳオフタイミング演算部１０７は、このＴFB2 から目標電気角を差し引いた差分ΔＴを求める。回転等が安定していればＴFB2 と目標電気角とが等しくなってΔＴ＝０となるはずである。この場合は、上ＭＯＳオフタイミング演算部１０７は、半周期前の下アーム・オン期間の終了時点から時間の計測を開始し、１周期前の上アーム・オン期間の終了時点から前回下ＭＯＳトランジスタ５１をオフするまでの時間（この時間を「下ＭＯＳオフ時間」と称する）が経過した時点を、ＭＯＳトランジスタ５０の次のオフタイミングとすればよい。しかし、実際には、（Ａ）車両の加減速に伴う回転変動、（Ｂ）エンジン回転の脈動、（Ｃ）電気負荷の変動、（Ｄ）所定のプログラムをＣＰＵで実行して制御部１００を実現する場合の動作クロック周期の変動、（Ｅ）ドライバ１７０、１７２にＭＯＳトランジスタ５０、５１をオフする指示を出してから実際にオフされるまでのターンオフ遅れ、などに伴ってΔＴが０にならないことが多い。
【００４４】
そこで、上ＭＯＳオフタイミング演算部１０７は、下ＭＯＳオフ時間をΔＴに基づいて補正して、ＭＯＳトランジスタ５０のオフタイミングを決定している。具体的には、設定したい上ＭＯＳオフ時間（半周期前の下アーム・オン期間の終了時点から次にＭＯＳトランジスタ５０をオフするまでの時間）をＴoff（Ｎ）、半周期前の下ＭＯＳオフ時間をＴoff（Ｎ−１）、前回下ＭＯＳトランジスタ５１をオフした際に求めたＴFB2（Ｎ−１）から目標電気角α0を差し引いた差分をΔＴ（Ｎ−１）、補正係数をｋとすると、これらの間には以下の式が成立する。
【００４５】
Ｔoff（Ｎ）＝Ｔoff（Ｎ−１）＋ｋ×（ＴFB2（Ｎ−１）−α0）
＝Ｔoff（Ｎ−１）＋ｋ×ΔＴ（Ｎ−１）
なお、上述した例では、上ＭＯＳオフ時間Ｔoff（Ｎ）を求める際に、下アームに対応する半周期前の下ＭＯＳオフ時間Ｔoff（Ｎ−１）と差分ΔＴ（Ｎ−１）とを用いたが、同じ上アームに対応する１周期前のこれらの値を用いるようにしてもよい。この場合の式を以下に示す。
【００４６】
Ｔoff（Ｎ）＝Ｔoff（Ｎ−２）＋ｋ×（ＴFB1（Ｎ−２）−α0）
＝Ｔoff（Ｎ−２）＋ｋ×ΔＴ（Ｎ−２）
同様に、ローサイド側のＭＯＳトランジスタ５１のオフタイミングは以下のようにして設定される。上ＭＯＳ・ＴFB時間演算部１０６は、半周期前にハイサイド側のＭＯＳトランジスタ５０をオフしてから前回の上アーム・オン期間の終了時点までの時間（オフ後電気角）ＴFB1 （図７）を演算し、下ＭＯＳオフタイミング演算部１０９は、このＴFB1 から目標電気角を差し引いた差分ΔＴを求める。回転等が安定していればＴFB1 と目標電気角とが等しくなってΔＴ＝０となるはずである。この場合は、下ＭＯＳオフタイミング演算部１０９は、半周期前の上アーム・オン期間の終了時点から時間の計測を開始し、１周期前の下アーム・オン期間の終了時点から前回上ＭＯＳトランジスタ５０をオフするまでの時間（上ＭＯＳオフ時間）が経過した時点を、ＭＯＳトランジスタ５１の次のオフタイミングとすればよい。しかし、実際には、上述した理由からΔＴが０にならないことが多い。
【００４７】
そこで、下ＭＯＳオフタイミング演算部１０９は、上ＭＯＳオフ時間をΔＴに基づいて補正して、ＭＯＳトランジスタ５１のオフタイミングを決定している。具体的には、設定したい下ＭＯＳオフ時間（半周期前の上アーム・オン期間の終了時点から次にＭＯＳトランジスタ５１をオフするまでの時間）をＴoff（Ｍ）、半周期前の上ＭＯＳオフ時間をＴoff（Ｍ−１）、前回上ＭＯＳトランジスタ５０をオフした際に求めたＴFB1（Ｍ−１）から目標電気角α0を差し引いた差分をΔＴ（Ｍ−１）、補正係数をｋとすると、これらの間には以下の式が成立する。
【００４８】
Ｔoff（Ｍ）＝Ｔoff（Ｍ−１）＋ｋ×（ＴFB1（Ｍ−１）−α0）
＝Ｔoff（Ｍ−１）＋ｋ×ΔＴ（Ｍ−１）
なお、上述した例では、下ＭＯＳオフ時間Ｔoff（Ｍ）を求める際に、上アームに対応する半周期前の上ＭＯＳオフ時間Ｔoff（Ｍ−１）と差分ΔＴ（Ｍ−１）とを用いたが、同じ下アームに対応する１周期前のこれらの値を用いるようにしてもよい。この場合の式を以下に示す。
【００４９】
Ｔoff（Ｍ）＝Ｔoff（Ｍ−２）＋ｋ×（ＴFB2（Ｍ−２）−α0）
＝Ｔoff（Ｍ−２）＋ｋ×ΔＴ（Ｍ−２）
このようにして、ダイオード整流を行う場合と同じ周期で、ハイサイド側のＭＯＳトランジスタ５０とローサイド側のＭＯＳトランジスタ５１が交互にオンされ、ＭＯＳトランジスタ５０、５１を用いた低損失の整流動作が行われる。
【００５０】
また、上述した差分ΔＴ用いて前回の上ＭＯＳオフ時間Ｔoff（Ｍ−１）および下ＭＯＳオフ時間Ｔoff（Ｎ−１）に対する補正を行うことにより、回転変動、電圧変更などでオフタイミングが目標に対してずれる場合に、そのずれを補正することが可能となる。また、上述した補正係数ｋは、固定値（１あるいはその他の値）としてもよいが、ＴFB2（Ｎ−１）がα0よりも小さい場合やＴFB1（Ｍ−１）がα0よりも小さい場合に１〜２の間の値に設定するようにしてもよい。車両の一定の加速が続く場合、加速分のずれが常に発生することになるが、補正係数を１倍から２倍の間に設定することにより、目標電気角とオフ後電気角との間のずれを減少させることができる。
【００５１】
（３）目標電気角の設定手法
次に、目標電気角の設定手法について説明する。目標電気角は、回転数に応じた値が設定される。それは、ＭＯＳトランジスタ５０、５１をオフするタイミングが上アーム・オン期間や下アーム・オン期間の終了時点よりも遅くならないように同期制御を行うために必要な目標電気角の値（最小値）が回転数に依存するからである。具体的には、上述した上ＭＯＳオフタイミング演算部１０７や下ＭＯＳオフタイミング演算部１０９におけるオフタイミングの設定動作について説明したように、（Ａ）車両の加減速に伴う回転変動、（Ｂ）エンジン回転の脈動、（Ｃ）電気負荷の変動、（Ｄ）所定のプログラムをＣＰＵで実行して制御部１００を実現する場合の動作クロック周期の変動、（Ｅ）ドライバ１７０、１７２にＭＯＳトランジスタ５０、５１をオフする指示を出してから実際にオフされるまでのターンオフ遅れ、などに伴ってΔＴが０にならないのと同じ理由で、必要な目標電気角の値を回転数に応じて変化させている。
【００５２】
上記のＡのケースに対応する図８において、横軸は車両用発電機１の回転数を、縦軸は車両用発電機１の回転数が１秒間で２０００ｒｐｍから１６０００ｒｐｍまで上昇する回転変動が生じたときに上アーム・オン期間と下アーム・オン期間の長さがどの程度変動したかを表す電気角をそれぞれ示している。なお、図８において実線で示す特性は回転子が８極の場合に、点線で示す特性は回転子が６極の場合に対応している。
【００５３】
図８に示すように、回転数が低いほど電気角で表したオン期間変動の程度が大きくなり、回転数が高いほど電気角で表したオン期間変動の程度が小さくなる。この特性を反映させると、低回転域になるほど目標電気角を大きな値に設定し、高回転域になるほど目標電気角を小さな値に設定する必要があるといえる。
【００５４】
上記のＢのケースに対応する図９において、横軸は車両用発電機１の回転数を、縦軸はプーリ比を２．５として上述したエンジン回転の変動が生じたときに上アーム・オン期間と下アーム・オン期間の長さがどの程度変動したかを表す電気角をそれぞれ示している。なお、図９において実線で示す特性は回転子が８極の場合に、点線で示す特性は回転子が６極の場合に対応している。
【００５５】
図９に示すように、回転数が低いほど電気角で表したオン期間変動の程度が大きくなり、回転数が高いほど電気角で表したオン期間変動の程度が小さくなる。この特性を反映させると、低回転域になるほど目標電気角を大きな値に設定し、高回転域になるほど目標電気角を小さな値に設定する必要があるといえる。
【００５６】
上記のＣのケースに対応する図１０において、横軸は車両用発電機１の回転数を、縦軸は５０Ａの電気負荷１０が切断されて出力電圧ＶB が１３．５Ｖ〜１４．０Ｖに変更したときに上アーム・オン期間と下アーム・オン期間の長さがどの程度変動したかを表す電気角をそれぞれ示している。なお、図１０において実線で示す特性は回転子が８極の場合に、点線で示す特性は回転子が６極の場合に対応している。
【００５７】
図１０に示すように、回転数が低いほど電気角で表したオン期間変動の程度が大きくなり、回転数が高いほど電気角で表したオン期間変動の程度が小さくなる。この特性を反映させると、低回転域になるほど目標電気角を大きな値に設定し、高回転域になるほど目標電気角を小さな値に設定する必要があるといえる。
【００５８】
上記のＥのケースに対応する図１１において、横軸は車両用発電機１の回転数を、縦軸はドライバ１７０、１７２のそれぞれにオフする指示を行ってから実際にオフされるまでのターンオフ遅れを１５μ秒としたときに上アーム・オン期間と下アーム・オン期間の長さがどの程度変動したかを表す電気角をそれぞれ示している。なお、図１１において実線で示す特性は回転子が８極の場合に、点線で示す特性は回転子が６極の場合に対応している。
【００５９】
図１１に示すように、回転数が低いほど電気角で表したオン期間変動の程度が小さくなり、回転数が高いほど電気角で表したオン期間変動の程度が大きくなる。この特性を反映させると、低回転域になるほど目標電気角を小さな値に設定し、高回転域になるほど目標電気角を大きな値に設定する必要があるといえる。
【００６０】
また、上記以外では、クロック周期の変動を考慮する必要がある（上記のＤのケースに対応する）。例えば、２ＭＨｚのシステムクロックを使用する場合にその精度が±β％、すなわちβ％の変動があるものとすると、上アーム・オン期間と下アーム・オン期間の長さの変動は、高回転域ほど大きくなり、低回転域ほど小さくなる。これは、クロックの精度は回転数に関係なく一定であるが、相電圧ＶP の電気角１周期分の時間は高回転域になるほど短くなるため、オン期間に占めるクロック変動分の相対的な割合が大きくなるからである。この特性を反映させると、低回転域になるほど目標電気角を小さな値に設定し、高回転域になるほど目標電気角を大きな値に設定する必要があるといえる。
【００６１】
上述したＡからＥのケースに対応する各種の要因の組合せを想定した電気角の変動の様子を示す図１２において、横軸は車両用発電機１の回転数を、縦軸は各種の要因に対応した電気角変動の累積値をそれぞれ示している。なお、図１２に示す特性Ｓは回転子が８極の場合の電気角変動の累積値である。
【００６２】
図１２に示すように、ＡからＥのケースに対応する各種の要因を組み合わせると、低速回転域と高速回転域において電気角変動の程度が大きくなり、中速回転域において電気角変動の程度が小さくなることがわかる。目標電気角設定部１０５は、この特性を反映させて、すなわち、低速回転域と高速回転域において目標電気角の値を大きく、中速回転域において目標電気角の値を小さく設定する。図１２においてＰ、Ｑで示された２種類の特性は、このようにして設定された目標電気角を示している。一方のＰで示された目標電気角は、回転数に応じて値が連続的に変化するようにしたものである。この場合には、回転数に応じて目標電気角の最小値を設定することが可能となる。また、他方のＱで示された目標電気角は、回転数に応じて値が階段状に変化するようにしてものである。この場合には、例えば回転数に応じて変化する複数の値をテーブルの形式で記憶しておけばよいため、目標電気角の可変設定に必要な構成を簡略化することができる。
【００６３】
本実施形態の車両用発電機１では、目標電気角の値を回転数に応じて可変設定することにより、ＭＯＳトランジスタ５０、５１がオフされてからダイオードに電流が流れる期間を確保するとともにこの期間を短くすることができるため、ダイオード整流によって生じる損失を低減し、発電効率の向上を図ることが可能となる。特に、低速回転域および高速回転域では目標電気角の値を大きく、中速回転域では目標回転角の値を小さく設定することにより、目標電気角の適切な値を回転数毎に設定することができ、損失低減および発電効率の向上を各回転域で実現することができる。
【００６４】
また、目標電気角を連続的に変化させることにより、回転数等に応じて目標電気角の最小値を設定することが可能となり、損失を最小限に抑えて発電効率を最大とすることができる。また、目標電気角を階段状に可変することにより、目標電気角の可変設定に必要な構成を簡略化することができる。
【００６５】
ところで、上述した実施形態では、目標電気角の値を回転数に応じて可変設定したが、さらに温度や出力電流を回転数と組み合わせて目標電気角の値を設定するようにしてもよい。
【００６６】
例えば、一般に、クロック発生器が発生するクロックの周期は温度が高くなるほど変動が大きくなる。このクロック発生器が整流器モジュール５Ｘ等に内蔵されている場合を考えると、温度検出部１５０によって検出される温度はこのクロック発生器の温度と一致すると考えることができる。目標電気角設定部１０５は、温度検出部１５０によって検出された温度が高く、かつ、回転数に対して目標電気角が増加しているときに目標電気角を大きな値に設定し、温度が低いほど目標電気角を小さな値に設定する。温度による影響を加味することにより、さらに目標電気角の適切な値を設定することができ、さらなる損失低減および発電効率向上が可能となる。
【００６７】
また、一般に、出力電流が多いほど相電圧ＶP の上昇および下降が急峻になり、反対に出力電流が少ないほど相電圧ＶP の上昇および下降がなだらかになる。上述したように、上アーム・オン期間が終了する時点と実際にＭＯＳトランジスタ５０と並列なダイオードに流れる電流が停止するタイミングとはずれており、このずれの程度は、相電圧ＶP の変化がなだらかになる小出力時の方が顕著になる。目標電気角設定部１０５は、出力電流が少ないほど目標電気角を大きな値に設定し、出力電流が多いほど目標電気角を小さな値に設定する。出力電流変化による影響を加味することにより、さらに目標電気角の適切な値を設定することができ、さらなる損失低減および発電効率向上が可能となる。なお、出力電流の大小は、発電制御装置７のＦ端子から界磁巻線４に供給されるＰＷＭ信号のオンデューティを監視することにより判定することができる。あるいは、出力電流の大小は、例えば図２に示すＭＯＳトランジスタ５１のソースとバッテリ９の負極端子（アース）との間に電流検出用抵抗を挿入し、この電流検出用抵抗の両端電圧に基づいて判定するようにしてもよい。図１３に示す構成は、図２に示した整流器モジュール５Ｘに対して、電流検出用抵抗５５を追加したものである。図１４に示す構成は、図３に示した制御回路５４に対して出力電流検出部１５２を追加したものである。この出力電流検出部１５２は、電流検出用抵抗５５の両端電圧に基づいて出力電流を検出する。なお、この場合には、整流器モジュール５ＸのＭＯＳトランジスタ５１を流れる電流値に基づいて出力電流の大小を判定することになるが、代わりに、充電線１２あるいは出力端子に流れる電流値を電流センサを用いて直接検出して出力電流の大小を判定するようにしてもよい。
【００６８】
このように、本実施形態の車両用発電機１では、ＭＯＳトランジスタ５０、５１のオフタイミングの設定をオンタイミングと分離して行うことにより、例えば起電圧が低い場合や波形自体が歪んでいる場合（Δ−Ｙ結線の電機子巻線を用いた場合）などでオンタイミングのずれが発生した場合であっても安定したオフタイミングの設定を行うことができる。
【００６９】
上ＭＯＳオフタイミング演算部１０７、下ＭＯＳオフタイミング演算部１０９のそれぞれは、オフタイミングの設定対象とは反対側のアームのＭＯＳトランジスタ５１、５０に対応して、直前に相巻線の相電圧が第２のしきい値に達した時点から経過時間の計測を開始している。このように直前のオフタイミングに近い時点を基準とすることにより、迅速なフィードバック制御による誤差の少ないオフタイミングの設定が可能となる。
【００７０】
また、第１のしきい値は、上アームについては第２のしきい値よりも大きく、下アームについては第２のしきい値よりも小さい値に設定されている。このように、第１および第２のしきい値の間にヒステリシスを持たせることにより、上アーム・オン期間および下アーム・オン期間を確実に設けることができる。
【００７１】
また、第１のしきい値は、上アームについては出力電圧ＶB と同じかそれよりも大きく、下アームについてはグランド電圧ＶGND と同じかそれよりも小さい値に設定されている。これにより、上アーム・オン期間や下アーム・オン期間が始まったことを確実に検出することができる。
【００７２】
また、第１のしきい値は、上アームについては出力電圧ＶB にダイオードの電圧降下を加算した値と同じかそれよりも小さい値であり、下アームについてはグランド電圧ＶGND にダイオードの電圧降下を減算した値と同じかそれよりも大きい値に設定されている。ＭＯＳトランジスタ５０、５１にダイオードが並列接続される場合に、発生する相電圧は、ダイオードの電圧降下でクランプされた状態になるため、このような第１のしきい値を用いることにより、上アーム・オン期間や下アーム・オン期間が確実に始まったことを確実に検出することができる。
【００７３】
また、第２のしきい値は、上アームについては出力電圧ＶB よりも小さく、下アームについてはグランド電圧ＶGND よりも大きい値に設定されている。これにより、上アーム・オン期間や下アーム・オン期間の終了を確実に検出することができる。
【００７４】
（オフタイミング設定の変形例）
ところで、上述した説明では、上アームのＭＯＳトランジスタ５０のオフタイミングを設定する際に、下アームに対応する下アーム・オン期間や下ＭＯＳオフ時間を用いた。同様に、下アームのＭＯＳトランジスタ５１のオフタイミングを設定する際に、上アームに対応する上アーム・オン期間や上ＭＯＳオフ時間を用いた。すなわち、一方のアームのＭＯＳトランジスタのオフタイミングを設定する際に、他方のアームに対応する情報を用いたが、各アームのＭＯＳトランジスタのオフタイミングの設定を、同じアームに対応する情報のみの用いて行うようにしてもよい。この場合の具体的な動作を以下に示す。
【００７５】
上ＭＯＳオフタイミング演算部１０７は、上ＭＯＳ  ＶDS検出部１２０の出力信号（上アーム・オン期間）を監視しており、この出力信号が前回（直前に）ハイレベルからローレベルへ立ち下がったタイミングから所定時間経過後をＭＯＳトランジスタ５０のオフタイミングとして判定し、ドライバ１７０に指示を送る。ドライバ１７０は、この指示に応じてＭＯＳトランジスタ５０をオフする。
【００７６】
このオフタイミングを決定する所定時間は、次の上アーム・オン期間の終了時点（上ＭＯＳ  ＶDS検出部１２０の出力信号が次回ハイレベルからローレベルに立ち下がる時点）よりも「目標電気角」だけ早くなるように、その都度可変設定される。
【００７７】
同様に、下ＭＯＳオフタイミング演算部１０９は、下ＭＯＳ  ＶDS検出部１３０の出力信号（下アーム・オン期間）を監視しており、この出力信号が前回（直前に）ハイレベルからローレベルに立ち下がったタイミングから所定時間経過後をＭＯＳトランジスタ５１のオフタイミングとして判定し、ドライバ１７２に指示を送る。ドライバ１７２は、この指示に応じてＭＯＳトランジスタ５１をオフする。
【００７８】
このオフタイミングを決定する所定時間は、次の下アーム・オン期間の終了時点（下ＭＯＳ  ＶDS検出部１３０の出力信号が次回ハイレベルからローレベルに立ち下がる時点）よりも「目標電気角」だけ早くなるように、その都度可変設定される。
【００７９】
ところで、実際には、上アーム・オン期間や下アーム・オン期間の終了時点は、ＭＯＳトランジスタ５０、５１をオフする時点ではわかっていないため、上ＭＯＳオフタイミング演算部１０７や下ＭＯＳオフタイミング演算部１０９は、１周期前の情報をフィードバックすることにより、ＭＯＳトランジスタ５０やＭＯＳトランジスタ５１のオフタイミングの設定精度を上げている。
【００８０】
具体的には、ハイサイド側のＭＯＳトランジスタ５０のオフタイミングは以下のようにして設定される。上ＭＯＳ・ＴFB時間演算部１０６は、１周期前にハイサイド側のＭＯＳトランジスタ５０をオフしてから前回の上アーム・オン期間の終了時点までの時間（オフ後電気角）ＴFB1 （図１５）を演算し、上ＭＯＳオフタイミング演算部１０７は、このＴFB1 から目標電気角を差し引いた差分ΔＴを求める。回転等が安定していればＴFB1 と目標電気角とが等しくなってΔＴ＝０となるはずである。この場合は、上ＭＯＳオフタイミング演算部１０７は、１周期前の上アーム・オン期間の終了時点から時間の計測を開始し、２周期前の上アーム・オン期間の終了時点から前回上ＭＯＳトランジスタ５０をオフするまでの時間（この時間を「上ＭＯＳオフ時間」と称する）が経過した時点を、ＭＯＳトランジスタ５０の次のオフタイミングとすればよい。しかし、実際には、上述した理由からΔＴが０にならないことが多い。
【００８１】
そこで、上ＭＯＳオフタイミング演算部１０７は、上ＭＯＳオフ時間をΔＴに基づいて補正して、ＭＯＳトランジスタ５０のオフタイミングを決定している。具体的には、設定したい上ＭＯＳオフ時間（１周期前の上アーム・オン期間の終了時点から次にＭＯＳトランジスタ５０をオフするまでの時間）をＴoff（ｎ）、１周期前の上ＭＯＳオフ時間をＴoff（ｎ−１）、前回上ＭＯＳトランジスタ５０をオフした際に求めたＴFB1（ｎ−１）から目標電気角α0を差し引いた差分をΔＴ（ｎ−１）、補正係数をｋとすると、これらの間には以下の式が成立する。
【００８２】
Ｔoff（ｎ）＝Ｔoff（ｎ−１）＋ｋ×（ＴFB2（ｎ−１）−α0）
＝Ｔoff（ｎ−１）＋ｋ×ΔＴ（ｎ−１）
同様に、ローサイド側のＭＯＳトランジスタ５１のオフタイミングは以下のようにして設定される。下ＭＯＳ・ＴFB時間演算部１０８は、１周期前にローサイド側のＭＯＳトランジスタ５１をオフしてから前回の下アーム・オン期間の終了時点までの時間（オフ後電気角）ＴFB2 （図１５）を演算し、下ＭＯＳオフタイミング演算部１０９は、このＴFB2 から目標電気角を差し引いた差分ΔＴを求める。回転等が安定していればＴFB2 と目標電気角とが等しくなってΔＴ＝０となるはずである。この場合は、下ＭＯＳオフタイミング演算部１０９は、１周期前の下アーム・オン期間の終了時点から時間の計測を開始し、２周期前の下アーム・オン期間の終了時点から前回下ＭＯＳトランジスタ５１をオフするまでの時間（この時間を「下ＭＯＳオフ時間」と称する）が経過した時点を、ＭＯＳトランジスタ５１の次のオフタイミングとすればよい。しかし、実際には、上述した理由からΔＴが０にならないことが多い。
【００８３】
そこで、下ＭＯＳオフタイミング演算部１０９は、下ＭＯＳオフ時間をΔＴに基づいて補正して、ＭＯＳトランジスタ５１のオフタイミングを決定している。具体的には、設定したい下ＭＯＳオフ時間（１周期前の下アーム・オン期間の終了時点から次にＭＯＳトランジスタ５１をオフするまでの時間）をＴoff（ｍ）、１周期前の下ＭＯＳオフ時間をＴoff（ｍ−１）、前回下ＭＯＳトランジスタ５１をオフした際に求めたＴFB2（ｍ−１）から目標電気角α0を差し引いた差分をΔＴ（ｍ−１）、補正係数をｋとすると、これらの間には以下の式が成立する。
【００８４】
Ｔoff（ｍ）＝Ｔoff（ｍ−１）＋ｋ×（ＴFB2（ｍ−１）−α0）
＝Ｔoff（ｍ−１）＋ｋ×ΔＴ（ｍ−１）
このようにして、ダイオード整流を行う場合と同じ周期で、ハイサイド側のＭＯＳトランジスタ５０とローサイド側のＭＯＳトランジスタ５１が交互にオンされ、ＭＯＳトランジスタ５０、５１を用いた低損失の整流動作が行われる。
【００８５】
また、上述した差分ΔＴ用いて前回の上ＭＯＳオフ時間Ｔoff（ｎ−１）および下ＭＯＳオフ時間Ｔoff（ｍ−１）に対する補正を行うことにより、回転変動、電圧変更などでオフタイミングが目標に対してずれる場合に、そのずれを補正することが可能となる。また、上述した補正係数ｋは、固定値（１あるいはその他の値）としてもよいが、ＴFB1（ｎ−１）がα0よりも小さい場合やＴFB2（ｍ−１）がα0よりも小さい場合に１〜２の間の値に設定するようにしてもよい。
【００８６】
この変形例では、オフタイミングの設定対象となるＭＯＳトランジスタ５０あるいは５１自身に対応して相電圧が第２のしきい値に達した時点を基準としているため、異常発生時にハイサイド側の通電期間（上アーム・オン期間）とローサイド側の通電期間（下アーム・オン期間）が大幅に異なるような場合であっても、正常動作可能なＭＯＳトランジスタ５０あるいは５１のオフタイミングの設定を継続することが可能になり、ダイオード整流に移行した場合に比べて低損失を維持して発熱による故障リスクを低減することができる。
【００８７】
なお、本発明は上記実施形態に限定されるものではなく、本発明の要旨の範囲内において種々の変形実施が可能である。例えば、目標電気角設定部１０５は、通電期間（上アーム・オン期間、下アーム・オン期間）が終わるタイミングよりもＭＯＳトランジスタ５０、５１をオフするタイミングの方が遅くなる頻度が増加したときに、目標電気角の値を大きくするようにしてもよい。これにより、何らかの原因により通電期間よりもＭＯＳトランジスタ５０、５１をオフするタイミングが遅れた状態が頻繁に発生する場合であっても、速やかに、通電期間が終わる前にＭＯＳトランジスタ５０、５１をオフするように制御内容を変更することが可能になる。
【００８８】
また、上述した実施形態では、低速回転域および高速回転域では目標電気角の値を大きく、中速回転域では目標回転角の値を小さく設定する場合について説明したが、低速回転域と中速回転域との関係に着目して、あるいは、中速回転域と高速回転域との関係に着目して目標電気角の可変設定を行うようにしてもよい。
【００８９】
具体的には、回転数を低速回転域、中速回転域、高速回転域に分けたときに、目標電気角設定部１０５は、回転数演算部１０１によって演算された回転数が低速回転域では目標電気角の値を大きく、中速回転域では目標回転角の値を小さく設定する。これにより、中速回転域までの範囲で目標電気角の適切な値を回転数毎に設定することができ、損失低減および発電効率の向上を中速回転域までの範囲で実現することができる。この場合には高速回転域での目標電気角は、上述した実施形態（図１２）と同様に回転数上昇に伴って大きくしてもよいが一定としてもよい。
【００９０】
あるいは、回転数を低速回転域、中速回転域、高速回転域に分けたときに、目標電気角設定部１０５は、回転数演算部１０１によって演算された回転数が高速回転域では目標電気角の値を大きく、中速回転域では目標回転角の値を小さく設定することが望ましい。これにより、中速回転域以上の範囲で目標電気角の適切な値を回転数毎に設定することができ、損失低減および発電効率の向上を中速回転域以上の範囲で実現することができる。この場合には低速回転域での目標電気角は、上述した実施形態（図１２）と同様に回転数低下に伴って大きくしてもよいが一定としてもよい。
【００９１】
また、上述した実施形態では、２つの固定子巻線２、３と２つの整流器モジュール群５、６を備えるようにしたが、一方の固定子巻線２と一方の整流器モジュール群５を備える車両用発電機についても本発明を適用することができる。
【００９２】
また、上述した実施形態では、各整流器モジュール５Ｘ等を用いて整流動作（発電動作）を行う場合について説明したが、ＭＯＳトランジスタ５０、５１のオン／オフタイミングを変更することにより、バッテリ９から印加される直流電流を交流電流に変換して固定子巻線２、３に供給して電動動作を行わせる車両用回転電機に本発明を適用することができる。
【００９３】
また、上述した実施形態では、２つの整流器モジュール群５、６のそれぞれに３つの整流器モジュールを含ませるようにしたが、整流器モジュールの数は３以外であってもよい。
【００９４】
また、上述した実施形態では、相電圧が第１のしきい値に達したときに、すなわち、上アーム・オン期間の開始タイミングに合わせてＭＯＳトランジスタ５０をオンし、下アーム・オン期間の開始タイミングに合わせてＭＯＳトランジスタ５１をオンしている。しかし、これらの開始タイミングと異なるタイミングでＭＯＳトランジスタ５０、５１をオンするようにしてもよい。すなわち、上ＭＯＳオンタイミング判定部１０３、下ＭＯＳオンタイミング判定部１０４のそれぞれは相電圧が第３のしきい値に達した時点を検出してＭＯＳトランジスタ５０あるいは５１のオンタイミングを設定するようにしてもよい。この場合に、第３のしきい値は、上アームについては第１のしきい値以上であり、下アームについては第１のしきい値以下に設定される。これにより、ＭＯＳトランジスタ５０、５１のオンタイミングを容易かつ確実に設定することが可能となる。また、上アーム・オン期間や下アーム・オン期間の開始後にＭＯＳトランジスタ５０、５１をオンすることができ、相電圧が低い時点でＭＯＳトランジスタ５０、５１をオンすることを防止することができる。なお、上述した実施形態のように、この第３のしきい値を第１のしきい値と同じにすることにより、電圧検出用の素子や回路を減らすことができる。
【産業上の利用可能性】
【００９５】
上述したように、本発明によれば、スイッチング素子のオフタイミングの設定をオンタイミングと分離して行うことにより、例えば起電圧が低い場合や波形自体が歪んでいる場合などでオンタイミングのずれが発生した場合であっても安定したオフタイミングの設定を行うことができる。
【符号の説明】
【００９６】
１  車両用発電機
２、３  固定子巻線
５、６  整流器モジュール群
５０、５１  ＭＯＳトランジスタ
１０３  上ＭＯＳオンタイミング判定部
１０４  下ＭＯＳオンタイミング判定部
１０７  上ＭＯＳオフタイミング演算部
１０９  下ＭＯＳオフタイミング演算部
１７０、１７２  ドライバ
【図１】
2014096887.tif 000003
【図２】
2014096887.tif 000004
【図３】
2014096887.tif 000005
【図４】
2014096887.tif 000006
【図５】
2014096887.tif 000007
【図６】
2014096887.tif 000008
【図７】
2014096887.tif 000009
【図８】
2014096887.tif 000010
【図９】
2014096887.tif 000011
【図１０】
2014096887.tif 000012
【図１１】
2014096887.tif 000013
【図１２】
2014096887.tif 000014
【図１３】
2014096887.tif 000015
【図１４】
2014096887.tif 000016
【図１５】
2014096887.tif 000017